(57)【要約】【課題】  外壁面材を表面側からのビス留めによらずに下地フレームに固定することができ、施工が容易な外壁面材の固定構造を提供する。【解決手段】  下地フレーム１の外壁面材２と対向する面に、上方が開いた切欠き３ａを有する固定プレート３を固定状態で設ける。外壁面材２の下地フレーム１に対向する面に、固定プレート３の切欠き３ａに上方から挿入されて、固定プレート３に対して下方へ移動不能、外壁面材２の水平な面方向に移動不能、および下地フレーム１と外壁面材２の並び方向に移動不能に係合する固定用金具４を設ける。固定プレート３に固定用金具４を係合させることで下地フレーム１に外壁面材２を固定する。【選択図】        図４
2009249989.tif 000002
【特許請求の範囲】
【請求項１】
下地フレームの外壁面材と対向する面に、上方が開いた切欠きを有する固定プレートを固定状態で設けると共に、外壁面材の下地フレームに対向する面に、前記固定プレートの切欠きに上方から挿入されて、固定プレートに対して下方へ移動不能、外壁面材の水平な面方向に移動不能、および下地フレームと外壁面材の並び方向に移動不能に係合する固定用金具を設け、前記固定プレートに前記固定用金具を係合させることで下地フレームに外壁面材を固定することを特徴とする外壁面材の固定構造。
【請求項２】
請求項１において、前記固定用金具は、前記切欠きの底面および側面に係合して、前記固定用金具を前記固定プレートに対して下方へ移動不能および外壁面材の水平な面方向に移動不能とする本体板部と、この本体板部から下地フレームと外壁面材の並び方向に位置をずらせて外壁面材の水平な面方向に拡がり、前記固定プレートの切欠きの周辺部に係合して、前記固定用金具を前記固定プレートに対して下地フレームと外壁面材の並び方向に移動不能とする拡張板部とを有する外壁面材の固定構造。
【請求項３】
請求項１または請求項２において、外壁面材の下地フレームに対向する面に、前記固定プレートに前記固定用金具を係合させた状態で、固定用金具に対する固定プレートの相対的な下方移動を規制する戻り止め部材を設けた外壁面材の固定構造。
【請求項４】
請求項３において、前記戻り止め部材は、前記固定プレートの下端を受ける段部を有し、前記固定プレートの切欠きへの前記固定用金具の挿入時には、前記固定プレートにより前記戻り止め部材の段部が固定プレートに対し干渉しない位置へ押し退けられ、挿入完了時に自らの弾性反発力で前記段部が前記固定プレートの下端を受ける位置へ復帰する外壁面材の固定構造。
【発明の詳細な説明】
【技術分野】
【０００１】
この発明は、バルコニーの腰壁等において、１つの下地フレームの両面に外壁面材を固定する場合に適した外壁面材の固定構造に関する。
【背景技術】
【０００２】
例えばバルコニーの腰壁では、厚さを抑えるために、図１０に示すように、１つの下地フレーム１の両面に外壁面材２Ａ，２Ｂを固定することが行われている。その場合、片側の外壁面材２Ａについては裏面側から下地フレーム１に固定することができるが、反対側の外壁面材２Ｂについては、先に固定した外壁面材２Ａが邪魔になって裏面側から固定作業ができず、表面側から下地フレーム１に固定するしかなかった。具体的には、外壁面材２Ｂの表面から下地フレーム１に向けてビス孔２１を開け、このビス孔２１から挿通したビス２２により外壁面材２Ｂを下地フレーム１に固定し、ビス孔２１をパテ埋めした後、タッチアップ塗装を施すという方法が採られていた。
【特許文献１】特公昭６３−５６３７９号公報
【特許文献２】特開平４−２０３１４４号公報
【発明の開示】
【発明が解決しようとする課題】
【０００３】
しかし、上記のように外壁面材２Ｂを表面側から下地フレーム１にビス留めするのは、現場での施工時間が長くかかるうえ、パテ埋め等の補修跡が残り見栄えを悪くすることがある。また、固定、補修等の精度は、現場作業者の熟練度により左右される。
【０００４】
そこで、この発明の目的は、外壁面材を表面側からのビス留めによらずに下地フレームに固定することができ、施工が容易な外壁面材の固定構造を提供することである。
【課題を解決するための手段】
【０００５】
この発明の外壁面材の固定構造は、下地フレームの外壁面材と対向する面に、上方が開いた切欠きを有する固定プレートを固定状態で設けると共に、外壁面材の下地フレームに対向する面に、前記固定プレートの切欠きに上方から挿入されて、固定プレートに対して下方へ移動不能、外壁面材の水平な面方向に移動不能、および下地フレームと外壁面材の並び方向に移動不能に係合する固定用金具を設け、前記固定プレートに前記固定用金具を係合させることで下地フレームに外壁面材を固定することを特徴とする。
【０００６】
この固定構造によれば、下地フレームの外壁面材と対向する面すなわち裏面に設けた固定プレートに、外壁面材の下地フレームに対向する面に設けた固定用金具を係合させて、下地フレームに外壁面材を固定するため、外壁面材の表面にビス孔等の跡が残らず、仕上がりが美しい。固定プレートの切欠きに固定用金具を上方から挿入することで、固定用金具を固定プレートに対して下方へ移動不能、外壁面材の水平な面方向に移動不能、および下地フレームと外壁面材の並び方向に移動不能に係合させられるので、外壁面材の固定が容易で、その精度が現場作業者の熟練度により左右されない。
【０００７】
前記固定用金具は、前記切欠きの底面および側面に係合して、前記固定用金具を前記固定プレートに対して下方へ移動不能および外壁面材の水平な面方向に移動不能とする本体板部と、この本体板部から下地フレームと外壁面材の並び方向に位置をずらせて外壁面材の水平な面方向に拡がり、前記固定プレートの切欠きの周辺部に係合して、前記固定用金具を前記固定プレートに対して下地フレームと外壁面材の並び方向に移動不能とする拡張板部とを有するものとすることができる。
固定用金具を上記構成とすると、簡略な構成でありながら、確実に、固定用金具を固定プレートに対して下方へ移動不能、外壁面材の水平な面方向に移動不能、および下地フレームと外壁面材の並び方向に移動不能に係合させることができる。
【０００８】
この発明において、外壁面材の下地フレームに対向する面に、前記固定プレートに前記固定用金具を係合させた状態で、固定用金具に対する固定プレートの相対的な下方移動を規制する戻り止め部材を設けてもよい。
戻り止め部材を設けると、固定用金具に対する固定プレートの相対的な下方移動が規制されるため、外壁面材が上方に外れない。
【０００９】
前記戻り止め部材は、前記固定プレートの下端を受ける段部を有し、前記固定プレートの切欠きへの前記固定用金具の挿入時には、前記固定プレートにより前記戻り止め部材の段部が固定プレートに対し干渉しない位置へ押し退けられ、挿入完了時に自らの弾性反発力で前記段部が前記固定プレートの下端を受ける位置へ復帰するものとすることができる。
戻り止め部材に上記弾性を持たせると、単品の戻り止め部材だけで、固定用金具に対する固定プレートの相対的な下方移動を規制することができる。そのため、構成が簡略になり、固定作業の容易化およびコスト低下が図れる。
【発明の効果】
【００１０】
この発明の外壁面材の固定構造は、下地フレームの外壁面材と対向する面に、上方が開いた切欠きを有する固定プレートを固定状態で設けると共に、外壁面材の下地フレームに対向する面に、前記固定プレートの切欠きに上方から挿入されて、固定プレートに対して下方へ移動不能、外壁面材の水平な面方向に移動不能、および下地フレームと外壁面材の並び方向に移動不能に係合する固定用金具を設け、前記固定プレートに前記固定用金具を係合させることで下地フレームに外壁面材を固定するため、外壁面材を表面側からのビス留めによらずに下地フレームに固定することができ、施工が容易である。
【発明を実施するための最良の形態】
【００１１】
この発明の実施形態を図面と共に説明する。図１ないし図３は下地フレーム１の片面に外壁面材２を固定した状態、図４は固定前の状態、図５は固定途中の状態をそれぞれ示す。下地フレーム１は、軽量鉄骨材からなる断面溝形の縦フレーム１ａ、横フレーム１ｂ、および中桟（図示せず）を枠組状に組み合わせて構成されている。外壁面材２は、ＧＲＣ（ガラス繊維強化セメント）等からなる。
【００１２】
下地フレーム１の外壁面材２と対向する面には、縦フレーム１ａから内側に張り出させた固定プレート３が、溶接により固定して設けられている。図３に示すように、固定プレート３は、上方が開いた略長方形の切欠き３ａを有する。切欠き３ａの上端は先広がり形状とされている。例えば、固定プレート３は、左右両縦フレーム１ａの上下両端部の計４箇所に設けられる。ここで、左右とは、外壁面材２の水平な面方向のことである。
【００１３】
一方、外壁面材２の下地フレーム１に対向する面には、前記固定プレート３の位置に対応させて、固定用金具４および戻り止め部材５が設けられている。図６に示すように、これら固定用金具４および戻り止め部材５は、外壁面材２に設置したアンカー６に、ボルト７、ナット８、およびスプリングワッシャ９により取付けられている。アンカー６は、一対の脚部６ａが外壁面材２に埋め込まれており、外壁面材２から突出する側面形状Ｕ字状の本体部６ｂに、前記ボルト７を挿通するボルト孔６ｃが形成されている。この実施形態では、アンカー本体部６ｂの外壁面材２側を向く面に前記ナット８が溶接等により固定されているが、ナット８はアンカー６と別体としてもよい。
【００１４】
固定用金具４は、鋼板を加工して成形したものであり、ボルト孔４ａを有する本体板部４ｂと、この本体板部４ｂの左右両端から外壁面材２に対し若干後退して左右両側に拡がる拡張板部４ｃと、この拡張板部４ｃの先端から外壁面材２に対し後退する側に延びる案内板部４ｄと、前記本体板部４ｂの上端から外壁面材２に向かって屈曲した屈曲部４ｅとでなる。前記案内板部４ｄの下辺は、外壁面材２に対し後退する側ほど下位に位置する傾斜状とされている。
【００１５】
戻り止め部材５は、上部にボルト孔５ａを有し、このボルト孔５ａの下方の位置に、外壁面材２に対し後退する側に曲げられた段部５ｂが形成され、さらにこの段部５ｂに続いて、外壁面材２側へ斜めに延びる傾斜部５ｃが形成されている。戻り止め部材５の上端は、外壁面材２に向かって屈曲した屈曲部５ｄになっている。戻り止め部材５は、ばね用鋼を折り曲げ加工して成形したものであり、全体に弾性を有する。
【００１６】
アンカー本体部６ｂの外壁面材２と反対側面に戻り止め部材５、固定用金具４、スプリングワッシャ９の順に重ね合わせ、各ボルト孔４ａ，５ａ，６ｃに固定用金具４側からボルト７を挿通し、その先端をナット８に螺着させることにより、固定用金具４および戻り止め部材５が外壁面材２に取付けられる。この取付状態では、固定用金具４および戻り止め部材５の屈曲部４ｅ，５ｄがアンカー本体部６ｂの上面に係合している。
【００１７】
下地フレーム１に外壁面材２を取付ける方法を説明する。図４に示す下地フレーム１に外壁面材２を対面させた状態から、固定用金具４が固定プレート３よりも高い位置になるように外壁面材２を持上げ、図５に示すように、戻り止め部材５が固定プレート３に当たる位置まで外壁面材２を下地フレーム１の側に移動させる。固定プレート３に押付けられた戻り止め部材５は、撓み変形する。
【００１８】
図５の状態から外壁面材２を下ろすことにより、固定プレート３の切欠き３ａに固定用金具４の本体板部４ｂが挿入される。切欠き３ａの上端は先広がり形状とされているため、切欠き３ａに固定用金具４の本体板部４ｂを無理なく挿入することができる。その際、下辺が傾斜状になった固定用金具４の案内板部４ｄによって固定プレート３が案内されて、固定プレート３の切欠き３ａと固定用金具４の本体板部４ｂの、下地フレーム１と外壁面材２の並び方向の位置が揃えられる。そして、切欠き３ａの底部まで固定用金具４の本体板部４ｂが挿入されると、固定プレート３の下端が戻り止め部材５の段部５ｂを乗り越えて、戻り止め部材５は自らの弾性力により元の自然状態に復帰する。それにより、図４に示すように、戻り止め部材５の段部５ｂが固定プレート３の下端を受ける状態となり、下地フレーム１への外壁面材２の固定が完了する。
【００１９】
図１に示す固定完了状態では、固定プレート３の切欠き３ａに固定用金具４の本体板部４ａが当たることで、固定用金具４は固定プレート３に対して下方および左右への移動が規制されている。また、固定プレート３の切欠き３ａ周辺部が、固定用金具４の拡張板部４ｃと戻り止め部材５とによって挟み付けられていることにより、固定用金具４は固定プレート３に対して下地フレーム１と外壁面材２の並び方向への移動が規制されている。さらに、戻り止め部材５の段部５ｂが固定プレート３の下端を受けていることにより、前固定用金具４に対する固定プレート３の相対的な下方移動、言い換えると固定用金具４の固定プレート３に対する上方への移動が規制されている。
【００２０】
このように、下地フレーム１の外壁面材２と対向する面すなわち裏面に設けた固定プレート３に、外壁面材２の下地フレーム１に対向する面に設けた固定用金具４を係合させることで下地フレーム１に外壁面材２を固定するため、外壁面材２の表面にビス孔等の跡が残らず、仕上がりが美しい。固定プレート３の切欠き３ａに固定用金具４を上方から挿入することで、固定プレート３へ固定用金具４を係合させられるので、外壁面材２の固定が容易で、その精度が現場作業者の熟練度により左右されない。
【００２１】
図１ないし図５では、下地フレーム１の片面にだけ外壁面材２を固定した状態を示しているが、下地フレーム１の両面に外壁面材２を固定する場合は、もう一方の面にも外壁面材２が固定される。その場合、もう一方の面については、内側からのビス留めにより外壁面材２を固定してもよく、あるいはこの発明の外壁面材の固定構造を適用して外壁面材２を固定してもよい。内側からのビス留めによる場合は、その面の外壁面材２の固定を先に行う。
【００２２】
上記実施形態は、左右両縦フレーム１ａの上下両端部の計４箇所に、それぞれ切欠き３ａを有する固定プレート３を設けた構成としたが、図７に示すように、左右の縦フレーム１ａ間を繋ぐ固定プレート３を設け、この固定プレート３の両端部の近傍にそれぞれ切欠き３ａを形成した構成としてもよい。
【００２３】
また、図８に示すように、縦フレーム１ａのリブ１ａａの一部を内側に延ばして代用固定プレート１３とし、この代用固定プレート１３に切欠き１３ａを設けてもよい。
【００２４】
さらに、図９に示すように、戻り止め部材１５を円環状としてもよい。この円環状の戻り止め部材１５は、中央部にボルト孔１５ａを有し、このボルト孔１５ａの周囲に、外壁面材２に対し後退する側に曲げられた段部１５ｂが形成され、さらにこの段部１５ｂに続いて、外壁面材２側へ斜めに延びる傾斜部１５ｃが形成されている。このように戻り止め部材１５を円環状とすると、ボルト７等により外壁面材２のアンカー６に取付けられた状態で、ボルト７回りの位相がずれた場合でも、常に段部１５ｂにより固定プレート３の下端を受けることができる。
【図面の簡単な説明】
【００２５】
【図１】この発明の実施形態にかかる外壁面材の固定構造の一部破断側面図である。
【図２】同外壁面材の固定構造の平面図である。
【図３】図１のIII矢視図である。
【図４】同外壁面材の固定構造の下地フレームに外壁面材を固定する前の状態を示す一部破断側面図である。
【図５】同外壁面材の固定構造の下地フレームに外壁面材を固定する途中の状態を示す一部破断側面図である。
【図６】同外壁面材の一部を分解した側面図である。
【図７】この発明の異なる実施形態にかかる外壁面材の固定構造の下地フレームの正面図である。
【図８】この発明の異なる実施形態にかかる外壁面材の固定構造の一部の正面図である。
【図９】（Ａ）は異なる戻り止め部材の正面図、（Ｂ）はその破断側面図である。
【図１０】従来の下地フレームに外壁面材を固定する方法を示す斜視図である。
【符号の説明】
【００２６】
１…下地フレーム
２…外壁面材
３…固定プレート
３ａ…切欠き
４…固定用金具
４ｂ…本体板部
４ｃ…拡張板部
５…戻り止め部材
５ｂ…段部
６…アンカー
７…ボルト
８…ナット
【図１】
2009249989.tif 000003
【図２】
2009249989.tif 000004
【図３】
2009249989.tif 000005
【図４】
2009249989.tif 000006
【図５】
2009249989.tif 000007
【図６】
2009249989.tif 000008
【図７】
2009249989.tif 000009
【図８】
2009249989.tif 000010
【図９】
2009249989.tif 000011
【図１０】
2009249989.tif 000012